(57)【要約】【課題】  家庭用のクレーンゲーム機では、１人で遊ぶことに飽きることがあったため、２人で争って遊ぶことのできる家庭用のクレーンゲーム機を提供する。【解決手段】  回転可能な載置板１３１と、前記載置板の周辺に立設された２本の垂直軸２１１と、２本の前記垂直軸の各上端から水平に延設される水平軸２３１と、前記水平軸の先端に設けられるキャッチャー２４０と、前記垂直軸を水平方向に回転させる回動レバー１５１と、を有し、前記キャッチャーは、前記載置板の上方から前記載置板の外方上方に移動可能とされ、各キャッチャーが載置板の外方上方に移動したときにキャッチャーの回動を制限する解除板１４１を更に有し、キャッチャーは、解除板にキャッチャー基部２４１の側面が接触押圧されたときにアーム２５１を開き、キャッチャー基部の下面が景品体１７１に接触押圧されたときにアームを閉じる家庭用クレーンゲーム機１００とする。【選択図】    図１
2020130436.tif 000002
【特許請求の範囲】
【請求項１】
回転可能な円板状の載置板と、
前記載置板の周辺に立設された２本の伸縮可能な垂直軸と、
２本の前記垂直軸の各上端から各々水平に延設される水平軸と、
各前記水平軸の先端に各々設けられるキャッチャーと、
垂直とされた中心線を中心として各前記垂直軸を各々水平方向に回転させる回動レバーと、
を有し、
各前記キャッチャーは、各々前記垂直軸の回動により前記載置板の上方から前記載置板の外方上方までの範囲で移動可能とされ、
各前記キャッチャーが前記載置板の外方上方に移動したときに、各前記キャッチャーの側面に各々接触可能とされて各前記キャッチャーの回動を各々制限する解除板を更に有し、
前記キャッチャーは、前記解除板にキャッチャー基部の側面が接触押圧されたときにアームを開き、前記垂直軸を短く縮小させて前記キャッチャーを降下させ、前記キャッチャー基部の下面が景品体に接触押圧されたときに前記アームを閉じることを特徴とする家庭用クレーンゲーム機。
【請求項２】
２本の前記垂直軸は、前記載置板の回転中心を中心として対称の位置に設けられていることを特徴とする請求項１に記載した家庭用クレーンゲーム機。
【請求項３】
２本の前記垂直軸及び各前記垂直軸の上端に各々設けられた前記水平軸、更に各前記水平軸の先端に各々設けられた前記キャッチャーは、各々同一大きさ同一構造とされ、２つの前記キャッチャーは同一の作動を行うことが可能とされていることを特徴とする請求項１又は請求項２に記載した家庭用クレーンゲーム機。
【請求項４】
前記載置板は上面に窪んだ環状溝を有し、前記環状溝は前記載置板の回転中心を中心とした円形とされていることを特徴とする請求項１乃至請求項３の何れかに記載した家庭用クレーンゲーム機。
【請求項５】
前記載置板は、前記載置板を囲む載置台の周壁よりも僅かに低くしてクレーンゲーム機の基台部に設けられていることを特徴とする請求項１乃至請求項４の何れかに記載した家庭用クレーンゲーム機。
【請求項６】
各前記解除板の下方に前記景品体を各々受ける落下部を有し、各前記落下部に各々連続して前記落下部に落下した前記景品体を各々収納する収容部を更に有することを特徴とする請求項１乃至請求項５の何れかに記載した家庭用クレーンゲーム機。
【発明の詳細な説明】
【技術分野】
【０００１】
本発明は、幼児等が２人で遊ぶ家庭用クレーンゲーム機に関する。
【背景技術】
【０００２】
今日、ゲームセンター等では、種々のクレーンゲーム装置が設置されて使用されている。これらの大型クレーンゲーム装置の動きを模した家庭用のクレーンゲーム装置も種々提案され、提供されている。
【０００３】
これらのクレーンゲーム装置は装置内の景品収納空間等に複数個の景品を収納し、景品収納空間等の上方に配置するキャッチャーをモータにより景品収納空間内で前後左右に移動可能としている。そして、前後及び左右にキャッチャーをボタン又はレバーの操作により移動させた後、キャッチャーを景品高さまで降下させると自動的にキャッチャーを閉じてキャッチャーを引き上げる。更に、自動的にキャッチャーを所定の基準位置に戻してキャッチャーを開くことにより、一旦動作を終了するものである。
【０００４】
従って、キャッチャーが景品位置に降下してキャッチャーを閉じたとき、キャッチャーのアームで景品を掴んだ場合、景品を基準位置に落下させて景品を獲得することができるものである。
【０００５】
また、家庭用のクレーンゲーム装置では、モータによる駆動を行うことなく、幼児等がクレーンゲーム装置を真似て遊ぶシンプルな玩具とされたクレーンゲーム機も提供されている。
【０００６】
このシンプルなクレーンゲーム機としては、例えば本件出願人が既に提案し提供している特許文献１に示す如きクレーンゲーム機がある。
【０００７】
このクレーンゲーム機は、短円筒状の基台部の上面に立設された伸縮可能とされる棒状の垂直軸を有する。更に、垂直軸の上端から水平に延設された水平軸の先端にキャッチャーを備える。そして、基台部の側方から水平に突出するレバーを左右に移動させて垂直軸を水平方向に回転させ、基台部の側方に設けたプッシュボタンを押し下げて垂直軸を縮めることによりキャッチャーを基台部の上面位置まで降下させることができるようにしているものである。
【０００８】
また、このキャッチャーは、２本のアームをフレームから突出させるように備え、２本のアームの先端を通常は開いている。そして、基台部に載置された景品にフレームの下面が接触すると２本のアームを閉じるように作動し、閉じた２本のアームにより景品を掴むことができるようにされている。
【０００９】
更に、このクレーンゲーム機は、基台部の側方上方に解除壁を有し、２本のアームを閉じた状態でキャッチャーのフレームの側面を解除壁に衝突させると、２本のアームの先端を開く。また、フレームの下面に設けたセンサ部材が景品等により押し上げられるまで２本のアームを開いた状態とするものである。
【００１０】
従って、このクレーンゲーム機では、基台部の側方から突出したレバーを左右に移動させ、基台部に載置した景品の上方にキャッチャーを位置させてプッシュボタンを押しこみ、景品の上方に位置させたキャッチャーを降下させて２本のアームを閉じて景品を掴むことができる。そして、レバー操作によってキャッチャーを解除壁に衝突させることにより、２本のアームで掴んでいた景品を落下させて獲得するようにして遊ぶことができるものである。
【先行技術文献】
【特許文献】
【００１１】
【特許文献１】特開２０１８−１０２８１０号公報
【発明の概要】
【発明が解決しようとする課題】
【００１２】
前述の様に、クレーンゲーム装置や家庭用のクレーンゲーム機は、景品収納空間に収納された景品又は基台上に載置された景品を、キャッチャーで掴み取ることにより獲得して遊ぶゲーム装置であって、景品を入手する楽しみを遊戯者に与えることのできる機器である。
【００１３】
しかし、ゲームセンターに設置されたクレーンゲーム装置は、収納空間に収納された景品が入手意欲を生じさせる景品か否かでゲームの興味が大きく左右され、操作技能を他人と競争して楽しむのではなく、装置に収納された獲得意欲の高い景品の存在によってクレーンゲーム装置で遊ぶか否かが決定されることが多かった。
【００１４】
また、家庭用のクレーンゲーム機では、景品を取得することができるか否かの成功又は失敗に一喜一憂しながら遊び、子供の空間認識や手指による操作感覚などの学習を行うことができるも、１人で遊ぶことにより短時間で飽きることがあった。
【００１５】
本発明は、このような欠点を排除し、１人で遊ぶことは勿論、２人でゲームを争って長く遊ぶことを楽しむことのできる家庭用のクレーンゲーム機を提供するものである。
【課題を解決するための手段】
【００１６】
本発明に係る家庭用クレーンゲーム機は、回転可能な円板状の載置板と、前記載置板の周辺に立設された２本の伸縮可能な垂直軸と、２本の前記垂直軸の各上端から各々水平に延設される水平軸と、各前記水平軸の先端に各々設けられるキャッチャーと、垂直とされた中心線を中心として各前記垂直軸を各々水平方向に回転させる回動レバーと、を有し、各前記キャッチャーは、各々前記垂直軸の回動により前記載置板の上方から前記載置板の外方上方までの範囲で移動可能とされ、各前記キャッチャーが前記載置板の外方上方に移動したときに、各前記キャッチャーの側面に各々接触可能とされて各前記キャッチャーの回動を各々制限する解除板を更に有し、前記キャッチャーは、前記解除板にキャッチャー基部の側面が接触押圧されたときにアームを開き、前記垂直軸を短く縮小させて前記キャッチャーを降下させ、前記キャッチャー基部の下面が景品体に接触押圧されたときに前記アームを閉じることができる家庭用クレーンゲーム機である。
【００１７】
そして、２本の前記垂直軸は、前記載置板の回転中心を中心として対称の位置に設けられることがある。
【００１８】
また、２本の前記垂直軸及び各前記垂直軸の上端に各々設けられた前記水平軸、更に各前記水平軸の先端に各々設けられた前記キャッチャーは、各々同一大きさ同一構造とされ、２つの前記キャッチャーは同一の作動を行うことが可能とされることがある。
【００１９】
更に、前記載置板は上面に窪んだ環状溝を有し、前記環状溝は前記載置板の回転中心を中心とした円形とされることがある。
【００２０】
そして、前記載置板は、前記載置板を囲む載置台の周壁よりも僅かに低くしてクレーンゲーム機の基台部に設けられることがある。
【００２１】
また、各前記解除板の下方に前記景品体を各々受ける落下部を有し、各前記落下部に各々連続して前記落下部に落下した前記景品体を各々収納する収容部を更に有することがある。
【発明の効果】
【００２２】
本発明に係る家庭用クレーンゲーム機は、載置板が回転可能とされ、この載置板の周辺に２本の垂直軸を立設しているため、載置板に景品体を載置し、２本の垂直軸に各々設けたキャッチャーを操作して２人でゲームを行うことができる。
【００２３】
また、１人でも一方のキャッチャーを操作して載置板の上に載置した景品体をキャッチャーで掴み上げ、キャッチャーを載置板の外方上方に移動させて解除板にキャッチャー基部を押圧して景品体を落下させるようにして景品体を取得して遊ぶことができる。
【００２４】
そして、２本の垂直軸を載置板の回転中心を中心に対称の位置に設ければ、回転する載置板に載置した景品体を２人で向かい合って獲得し合うことができる。
【００２５】
また、２つのキャッチャーは同一の作動を行うことが可能とされていれば、１人で遊ぶときはどちらのキャッチャーを使用する場合でも同じ操作で遊ぶことができ、２人で景品体の獲得競争をする場合は平等公平な条件で競争をすることができる。
【００２６】
更に、載置板に載置板の回転中心を中心とする円形の環状溝を設ける場合は、この環状溝に景品体を並べて載置板を回転させることにより、複数個の景品体を全て同一条件としてキャッチャーで掬い上げることができる。
【００２７】
そして、載置板を囲む周壁よりも載置板を低くすることにより、回転する載置板に載置した景品体をキャッチャーで掴み損なった場合等に、景品体が載置板から載置板の外方に落下することを防止して掴み損なった景品体を載置板の上に残しておくようにすることができる。
【００２８】
また、各解除板の下方に落下部と落下部に連続する収容部とを各々設けることにより、２人で景品体の獲得競争をしたとき、各収容部に収容された景品体の個数を容易に比較することができる。
【図面の簡単な説明】
【００２９】
【図１】本発明に係る家庭用クレーンゲーム機の一実施形態を示す外観斜視図。
【図２】本発明に係る家庭用クレーンゲーム機の一実施形態における内部構造を示す斜視図。
【図３】本発明に係る家庭用クレーンゲーム機の一実施形態における回転駆動機構を示す斜視図。
【図４】本発明に係る家庭用クレーンゲーム機の一実施形態におけるクレーン装置の要部分解斜視図。
【図５】本発明に係る家庭用クレーンゲーム機の一実施形態におけるキャッチャーを開いた状態を示す断面正面図。
【図６】本発明に係る家庭用クレーンゲーム機の一実施形態におけるキャッチャーを開いた状態を示す断面側面図。
【図７】本発明に係る家庭用クレーンゲーム機の一実施形態におけるキャッチャーを閉じた状態を示す断面正面図。
【図８】本発明に係る家庭用クレーンゲーム機の一実施形態におけるキャッチャーを閉じた状態を示す断面側面図。
【発明を実施するための形態】
【００３０】
本発明に係る家庭用クレーンゲーム機の一実施形態は、図１に示すように、基台部１１０の中央に設けた載置台１２５の載置板１３１の上に乗せた景品体１７１をキャッチャー２４０で掴み上げて基台部１１０の左右端部に設けた落下部１４５に落下させ、収容部１４７に集めるようにして遊ぶクレーンゲーム機１００である。
【００３１】
そして、キャッチャー２４０を基台部１１０の左右に各々１個ずつ備え、２個のキャッチャー２４０を各々個別に操作する回動レバー１５１も２個備えることにより、２人で景品体１７１の獲得競争をして遊ぶことができるようにしているものである。
【００３２】
尚、長円形又は長方形とされる基台部１１０の長軸方向を左右、短軸方向を前後又は正面方向として説明する。
【００３３】
即ち、このレーンゲーム機１００は、略長円形形状とされる基台部１１０の中央に基台部１１０の上面１２１から上方に突出する円形の載置台１２５を有する。載置台１２５はその上面に載置板１３１を備え、載置板１３１の回転中心を中心として左右の対称の位置に各々垂直軸２１１を設けて２個のクレーン装置を配置しているものである。
【００３４】
このクレーン装置は、図２に示すように、回動レバー１５１の内側端部に立設する作動軸１５７により、垂直軸２１１の下端に設けた回動杆２１８を垂直軸２１１の中心軸線を回転中心として水平方向に回動させることができるようにしているものである。そして、垂直軸２１１の上端から水平方向に延設される水平軸２３１を有し、水平軸２３１の先端にキャッチャー２４０を備えるものである。
【００３５】
このクレーン装置は、図１及び図２に示したように、長円形又は長方形とされる基台部１１０における左右の長軸側両端部中央付近に各々１本ずつ垂直軸２１１を立設し、この２本の垂直軸２１１の間に載置板１３１を備える載置台１２５を形成しているものである。
【００３６】
この垂直軸２１１は、中間高さ位置に直径を大きくした膨出部２１３を有する円柱状とされる。そして、下端付近を垂直軸２１１の直径と等しい直径の穴を有するバネ受部材２２７の穴に貫通させ、膨出部２１３の略下半を基台部１１０に形成した円筒状の軸支持筒１６１に挿入することにより、上下方向に摺動可能に基台部１１０に設けられるものである。
【００３７】
尚、軸支持筒１６１は上カバー１１２における基台部１１０の上面１２１から突出させる円筒体であり、バネ受部材２２７は上カバー１１２における基台部１１０の上面１２１内側にビス等によって固定されるものである。
【００３８】
更に、膨出部２１３とバネ受部材２２７との間には圧縮した弦巻バネを押上げバネ２２５として有し、垂直軸２１１は常に上方に付勢されているものである。そして、この垂直軸２１１の下端には、垂直軸２１１の直径よりも大きな径とされた固定板２１７をバネ受部材２２７の下方に位置させて有し、固定板２１７は外方に突出する棒状の回動杆２１８を備えるものである。
【００３９】
また、垂直軸２１１の膨出部２１３よりも上方には、外側へ略水平に突出する平板状の押下げレバー２１５を有する。そして、この垂直軸２１１の上端には、垂直軸２１１の上端から水平方向に延設される水平軸２３１を有し、水平軸２３１の先端下方にキャッチャー２４０を有するものである。
【００４０】
このキャッチャー２４０は、２本のアーム２５１を有するキャッチャー基部２４１が支持部２３５により水平軸２３１の先端に固定されるものである。更に、略直方体形状のキャッチャー基部２４１から突出した２本のアーム２５１の先端２５３をキャッチャー基部２４１の下方に位置させているものである。
【００４１】
そして、略直方体形状とされたキャッチャー基部２４１の内部には、図４及び図５や図７に示すように、取付け軸２５６によりアーム２５１の取付け部２５５が回動可能にキャッチャー基部２４１へ固定される。また、左右のアーム２５１の後端２５７を重ねるようにして連結軸２５９により左右のアーム２５１の後端２５７を結合しているものである。
【００４２】
尚、左右のアーム２５１の後端２５７に設ける連結穴２５８は、図４に示すように、一方の連結穴２５８を長穴として連結軸２５９を貫通させるものであり、長穴としない連結穴２５８を有するアーム２５１の後端２５７には、バネ受座２７３を設けて開放バネ２７１の端部を支持するものである。また、連結軸２５９は、図６や図８に示すように、作動体２６１に両端を固定されて左右のアーム２５１の後端２５７を連結するものである。
【００４３】
この作動体２６１は、平板状の本体板２６３の前端には前立板２６５を、本体板２６３の後端には後立板２６９を有して略コ字状の形状とされるものである。
【００４４】
更に、前立板２６５の上端前面には、前立板２６５の略全幅に亘って前方に突出する係合突起２６６を有し、係合突起２６６の直近下方には係合突起２６６よりも幅が狭く、係合突起２６６よりも突出量が大きな解放突出部２６７を有するものである。
【００４５】
また、この作動体２６１における本体板２６３の下面には、短円筒形状の当接体２８１を有し、キャッチャー基部２４１の下面に設けた開口２４５からこの当接体２８１の下面をキャッチャー基部２４１の下面よりも下方に突出させるものである。
【００４６】
そして、このキャッチャー基部２４１の前方側の側面には、Ｔ字形状の窓を設け、この窓の上方部分は前立板２６５に設けた係合突起２６６の幅よりも僅かに広い幅の係止穴２４３とする。また、下方部分は開放突出部２６７よりも僅かに幅の広い幅としつつ係止穴２４３の幅よりも狭い突起穴２４４とする。このようにして、突起穴２４４の上方に突起穴２４４よりも幅の広い係止穴２４３を有するＴ字形状の窓とするものである。
【００４７】
尚、図１及び図２に示した左側のキャッチャー２４０には、キャッチャー基部２４１の前方側の側面にＴ字形状の窓を形成し、図１及び図２に示した右側のキャッチャー２４０には、キャッチャー基部２４１の図示されない後方側の側面に係止穴２４３と突起穴２４４とによるＴ字形状の窓を形成している。
【００４８】
また、このキャッチャー２４０は、図６及び図８に示したように、作動体２６１の後立板２６９の後方には付勢バネ２７５をキャッチャー基部２４１の内部に収納し、作動体２６１の上方には開放バネ２７１を収納しているものである。
【００４９】
従って、一方のアーム２５１の後端２５７に設けたバネ受座２７３及び連結軸２５９を介して作動体２６１は常に開放バネ２７１により下方に付勢される。また、付勢バネ２７５により後立板２６９を前方に押圧されて前立板２６５前面や前立板２６５の上端前面に形成した係合突起２６６の前面を、キャッチャー基部２４１の側面内側に接触させるように付勢されるものである。
【００５０】
このため、図６に示したように、係合突起２６６がキャッチャー基部２４１の側面板の内側に位置するように作動体２６１が後退して係合突起２６６の先端前面を基部２４１の側面内側に当接させているとき、開放バネ２７１により作動体２６１が押し下げられる。このようにして、開放突出部２６７が突起穴２４４の下端に位置しているとき、このキャッチャー２４０は、図５に示したようにアーム２５１の先端２５３を開いた状態とされる。
【００５１】
また、当接体２８１が上方に押し上げられて作動体２６１が上昇すると、図８に示したように、係合突起２６６を係止穴２４３に挿入するように作動体２６１が前進し、係合突起２６６の下面を係止穴２４３の下方上面に係合させて開放バネ２７１の弾発力に抗して作動体２６１を上方位置に係止することができる。
【００５２】
従って、図７に示したように、アーム２５１の先端２５３は相互の間隔を狭くした閉じた状態とされ、閉じた状態を維持するものである。
【００５３】
このため、キャッチャー２４０を景品体１７１の上方から降下させ、景品体１７１の上端で当接体２８１を押し上げると、作動体２６１が上昇してアーム２５１を閉じ、景品体１７１をキャッチャー２４０で掴んだ状態を維持させることができる。
【００５４】
また、開放突出部２６７をキャッチャー基部２４１に押し込むようにして作動体２６１を後退させると、係合突起２６６と係止穴２４３との係合が外れ、開放バネ２７１の弾発力により作動体２６１が降下してアーム２５１を開き、掴んでいた景品体１７１を落下させることができる。
【００５５】
そして、この２個のクレーン装置は、各々回動レバー１５１を備え、垂直軸２１１を回転させ、水平軸２３１の中心軸線を中心として水平軸２３１を水平方向に旋回可能としているものである。
【００５６】
この回動レバー１５１は、図１に示したように、基台部１１０の周囲壁１１７から略水平に突出する板状のレバー本体１５４を有し、レバー本体１５４の先端につまみ部１５３を有するものである。
【００５７】
このレバー本体１５４は、図２に示したように、基台部１１０の内部に配置する円柱状の回動支持軸１５５から水平に延設されてつまみ部１５３側の端部を基台部１１０から突出させているものである。
【００５８】
この回動支持軸１５５は、下カバー１１１における底板１１５に設けた突起を回動支持軸１５５の下端に収納し、基台部１１０の上カバー１１２に取付けるバネ受部材２２７から突出した突出部２２８の下面に設けた突起を回動支持軸１５５の上端に収納するものである。
【００５９】
従って、回動支持軸１５５は、垂直方向とされた中心軸を中心として水平方向に回転可能に、底板１１５と上カバー１１２に固定したバネ受部材２２７の突出部２２８により固定支持されるものである。
【００６０】
また、この回動支持軸１５５は、レバー本体１５４と逆方向に突出する平板状の内側軸１５６を有する。更に、内側軸１５６は、その先端近傍に内側軸１５６の上面から上方に延設される棒状の作動軸１５７を有するものである。
【００６１】
そして、この作動軸１５７は、図４に示す取付け部材２２１により垂直軸２１１の下端に固定した固定板２１７から突出する回動杆２１８の長穴２１９に挿入されるものである。
【００６２】
従って、回動レバー１５１のつまみ部１５３を指先でつまみ、つまみ部１５３を左右に移動させると、作動軸１５７が回動支持軸１５５を中心に左右に回動し、作動軸１５７が垂直軸２１１の近傍で左右に移動することになる。
【００６３】
このため、作動軸１５７を貫通させた長穴２１９を有する回動杆２１８が垂直軸２１１の中心軸線を中心として水平方向に回動し、垂直軸２１１ひいては水平軸２３１の先端を水平方向に回動させることができる。
【００６４】
尚、内側軸１５６の水平方向回動範囲を規制する規制板１５９を底板１１５から突出させ、内側軸１５６ひいてはレバー本体１５４の先端に設けたつまみ部１５３を、左又は右方向に所定量以上に移動させることができないようにしている。
【００６５】
即ち、一方向にはキャッチャー２４０が載置板１３１の上方からはみ出さないようにし、他方向にはキャッチャー２４０を載置板１３１の外方上方まで回動させることができるようにしている。
【００６６】
また、垂直軸２１１の上端に水平軸２３１を設け、水平軸２３１の先端にキャッチャー２４０を有し、回動レバー１５１により垂直軸２１１を回転させるクレーン装置の２個は、各々同一構造同一機構とされて載置板１３１の回転中心を中心に相互に対称として基台部１１０に取付けられるものである。
【００６７】
このため、１人でゲームをするときは、左右のクレーン装置の内の何れのクレーン装置を使用しても、同じ操作で同じ作動をさせて遊ぶことができ、２人で競争する場合は、互いに向き合って同一条件で平等公平に争ってゲームを行うことができる。
【００６８】
そして、このクレーンゲーム機１００は、図１に示したように、２本の水平軸２３１の間に載置台１２５を形成しているものである。この載置台１２５は、円板状の載置板１３１を上面に有し、円筒形の周壁１２７により載置板１３１を囲むようにして基台部１１０の上面１２１に形成するものである。
【００６９】
また、周壁１２７は、水平軸２３１の作動範囲の下方を除く部分において、上端を高くした障壁部１２９を載置板１３１の回転中心を中心とする対称形状として前後方向に各々形成しているものである。
【００７０】
更に、載置板１３１は、その上面に僅かに窪んだ環状溝１３３を有し、この環状溝１３３は載置板１３１の中心を中心とした円形環状に形成されるものである。また、載置板１３１の上面周縁は、外側を高くする傾斜部１３２を形成している。
【００７１】
更に、載置板１３１は、周壁１２７の高さよりも僅かに低い高さ位置として載置台１２５へ回転可能に組み込まれるものである。
【００７２】
このように、載置板１３１の上面に環状溝１３３を形成することにより、回転する載置板１３１に乗せる景品体１７１を環状溝１３３に並べることができる。そして、この環状溝１３３は載置板１３１の中心を中心とした円形環状に形成しているため、景品体１７１を常に一定の条件でキャッチャー２４０により掴むことを可能とし、幼児でも容易に景品体１７１を獲得することができるようにしているものである。
【００７３】
また、載置板１３１の周縁に傾斜部１３２を形成し、載置板１３１の上面よりも周壁１２７の高さを僅かに高くすることにより、キャッチャー２４０で掴み損なわれた景品体１７１が載置板１３１の外部に押し出され、載置台１２５から落下することを防止している。
【００７４】
そして、この載置板１３１は、図３に示したように、下面に大歯車１３５を有し、この大歯車１３５をモータボックス１３７から突出させた駆動小歯車１３８と噛合させるものである。このモータボックス１３７は、下カバー１１１の底板１１５に固定されてモータと減速歯車列を内蔵し、モータの回転を減速歯車列で減速して駆動小歯車１３８を回転させるものである。
【００７５】
尚、載置台１２５の中央には、装飾体１６５を設けている。更に、キャッチャー２４０が載置台１２５から外れた位置の下方における基台部１１０には、基台部１１０の上面１２１よりも低い上面とした落下部１４５を形成するものである。
【００７６】
この落下部１４５は、キャッチャー２４０で掴む景品体１７１を収納可能な大きさの窪みとして基台部１１０の左右の端部に各々形成しているものである。
【００７７】
また、落下部１４５に落下した景品体１７１の複数個を収容可能とする収容部１４７を基台部１１０の外周に沿って形成しているものである。
【００７８】
従って、キャッチャー２４０で掴んだ景品体１７１を落下部１４５に落下させて収容部１４７に収容し、２か所の収容部１４７に各々収容した景品体１７１の個数を容易に比較することができる。
【００７９】
そして、キャッチャー２４０の作動範囲内であって、落下部１４５の上方にして載置台１２５から離れた基台部１１０の端部近傍の位置には、キャッチャー２４０の回動を制限する解除板１４１を設けるものである。
【００８０】
この解除板１４１は、垂直軸２１１が伸びた状態即ちキャッチャー２４０を上昇させた位置におけるキャッチャー基部２４１の高さに合わせ、且つ、キャッチャー基部２４１の係止穴２４３や突起穴２４４を有する側面板と解除板１４１の平面が相互に面接触可能な向きとして固定部１４３により基台部１１０の上面１２１に取付けるものである。
【００８１】
従って、このクレーンゲーム機１００は、載置板１３１の環状溝１３３に並べた景品体１７１をキャッチャー２４０で掴み、キャッチャー２４０を解除板１４１にぶつけるように回転させ、開放突出部２６７を解除板１４１により押し込んでアーム２５１を開き、掴んだ景品体１７１を落下部１４５に落下させ、落下部１４５に落下した景品体１７１を各々の収容部１４７に収容することができる。
【００８２】
即ち、電源スイッチをオンとし、モータにより載置板１３１を回転させた状態で、２人で景品体１７１の獲得個数を競争するようにして遊ぶことができるものである。
【００８３】
また、載置板１３１に載置して回転する景品体１７１の上方にキャッチャー２４０を位置させるように回動レバー１５１を操作し、キャッチャー２４０の下方に景品体１７１が位置したとき、押下げレバー２１５を押し下げて水平軸２３１及びキャッチャー２４０を降下させ、開いたアーム２５１の間に景品体１７１を挟むようにキャッチャー２４０を降下させると、作動体２６１の下面に設けた当接体２８１を景品体１７１に接触させることができる。
【００８４】
当接体２８１の下面が景品体１７１に接触した状態で更にキャッチャー２４０を降下させると、当接体２８１がキャッチャー基部２４１の内部へ押し上げられ、係合突起２６６を係止穴２４３から外してアーム２５１を閉じ、景品体１７１をキャッチャー２４０で掴むことができる。
【００８５】
そして、押下げレバー２１５の押下力を解放すると、垂直軸２１１は押上げバネ２２５により押し上げられるようにして伸び、水平軸２３１及びキャッチャー２４０が上昇する。更にキャッチャー２４０を上昇させた状態で回動レバー１５１を操作して垂直軸２１１及び水平軸２３１を旋回させ、キャッチャー基部２４１を解除板１４１に衝突させると、開放突出部２６７が解除板１４１によりキャッチャー基部２４１に押し込まれ、係合突起２６６が係止穴２４３から外れて開放バネ２７１の段発力によりアーム２５１を開き、景品体１７１をキャッチャー２４０から落下部１４５へ落下させることができるものである。
【００８６】
尚、載置板１３１は、回転速度を早く又は遅くするように速度変更を可能とし、更に、正回転と逆回転の回転方向の切り換えを可能として、遊戯者が飽きないようにキャッチャー２４０で景品体１７１を掴み上げる条件を変更可能としているものである。
【産業上の利用可能性】
【００８７】
本発明に係る家庭用のクレーンゲーム機１００は、１人で景品体１７１を獲得するようにして遊ぶことの他、幼児が２人で景品体１７１の獲得競争をする様にして遊ぶことができ、飽きることなくゲームを楽しむことのできる家庭用クレーンゲーム機１００である。
【符号の説明】
【００８８】
１００  クレーンゲーム機
１１０  基台部                    １１１  下カバー
１１２  上カバー                  １１５  底板
１１７  周囲壁                    １２１  上面
１２５  載置台                    １２７  周壁
１２９  障壁部                    １３１  載置板
１３２  傾斜部                    １３３  環状溝
１３５  大歯車                    １３７  モータボックス
１３８  駆動小歯車
１４１  解除板                    １４３  固定部
１４５  落下部                    １４７  収容部
１５１  回動レバー                １５３  つまみ部
１５４  レバー本体                １５５  回動支持軸
１５６  内側軸                    １５７  作動軸
１５９  規制板                    １６１  軸支持筒
１６５  装飾体                    １７１  景品体
２１１  垂直軸                    ２１３  膨出部
２１５  押下げレバー              ２１７  固定板
２１８  回動杆                    ２１９  長穴
２２１  取付け部材                ２２５  押上げバネ
２２７  バネ受部材                ２２８  突出部
２３１  水平軸                    ２３５  支持部
２４０  キャッチャー
２４１  キャッチャー基部          ２４３  係止穴
２４４  突起穴                    ２４５  開口
２５１  アーム                    ２５３  先端
２５５  取付け部                  ２５６  取付け軸
２５７  後端                      ２５８  連結穴
２５９  連結軸
２６１  作動体                    ２６３  本体板
２６５  前立板                    ２６６  係合突起
２６７  開放突出部                ２６９  後立板
２７１  開放バネ                  ２７３  バネ受座
２７５  付勢バネ                  ２８１  当接体
【図１】
2020130436.tif 000003
【図２】
2020130436.tif 000004
【図３】
2020130436.tif 000005
【図４】
2020130436.tif 000006
【図５】
2020130436.tif 000007
【図６】
2020130436.tif 000008
【図７】
2020130436.tif 000009
【図８】
2020130436.tif 000010